(57)【要約】【課題】従来技術の全体的サイズの問題を克服する小型の多帯域指向性アンテナを提供すること。【解決手段】少なくとも２つの励起ソースを有しており、励起ソースによって回収／放射されるエネルギーを空間的に導き、かつそれぞれソース群によって受信／送信される波に対応する帯域間の周波数分離を供給するマルチソースアンテナである。ソース群は空間と周波数の選択配列の準位で放射用開口を交互配置するように接地板上に配置される。【選択図】　　　図２ａ
2004135284.tif 000002
【特許請求の範囲】
【請求項１】
　少なくとも２つの励起ソースと、前記励起ソースによって取得／放射されるエネルギーを空間的に導き、かつ前記ソースによって受信／送信される波にそれぞれ対応する帯域の間の周波数減結合を行うための空間および周波数の選択手段とを含み、前記励起ソースが放射用開口を空間および周波数の選択手段の高さのところに交互配置するために接地板上に配置されるマルチソースアンテナ。
【請求項２】
　前記選択手段が禁制光帯域アレイ（ｆｏｒｂｉｄｄｅｎ　ｐｈｏｔｏｎｉｃ　ｂａｎｄ　ａｒｒａｙ）である請求項１に記載のアンテナ。
【請求項３】
　前記禁制光帯域アレイが一次元周期を有する誘電体プレートの配列（１Ｄ配列）を含む請求項２に記載のアンテナ。
【請求項４】
　前記禁制光帯域アレイが二次元周期を有する誘電体ロッドの配列（２Ｄ配列）を含む請求項２に記載のアンテナ。
【請求項５】
　前記禁制光帯域アレイが三次元周期を有する誘電体ロッドの配列（３Ｄ配列、木ぐいタイプ）を含む請求項２に記載のアンテナ。
【請求項６】
　前記禁制光帯域アレイが金属パターンの周期的配列を含む請求項２に記載のアンテナ。
【請求項７】
　前記禁制光帯域アレイが前記接地板にスロットの周期的配列を含む請求項２に記載のアンテナ。
【請求項８】
　前記禁制光帯域アレイが金属ワイヤの配列を含む請求項２に記載のアンテナ。
【請求項９】
　前記励起ソースが受動的焦点アレイを形成し、前記受動的焦点アレイの各ソースに関連する放射用開口の交互配置が禁制光帯域アレイの高さのところで拡張された明らかな表面積にわたって放射されるエネルギーのチャネルを発生する請求項１に記載のアンテナ。
【請求項１０】
　前記励起ソースが様々な周波数帯域で、かつ同じ放射用開口で動作する請求項１に記載のアンテナ。
【請求項１１】
　前記励起ソースが様々な周波数帯域で、かつ同じ放射用開口で動作し、かつ前記禁制光帯域アレイが、その固有周波数で共振してその他の共振周波数で透過する共振パターンを備えた少なくとも２枚の金属プレートを含む請求項２に記載のアンテナ。
【請求項１２】
　前記禁制光帯域アレイが金属ワイヤの周期的配列を有し、第１の動作帯域とは別の第２の動作帯域を形成するためにそれらのワイヤのいくつかが局所的かつ周期的に除去される請求項２に記載のアンテナ。
【請求項１３】
　１枚の金属プレートが最も高い動作周波数で反射表面を形成し、かつ最も低い動作周波数で透過性であり、前記接地板からλｆｈ／２の距離に在り、第２の金属プレートが前記最も低い周波数で反射表面を形成し、かつ前記最も高い周波数で透過性であり、前記接地板からλｆｈ／２の距離に在る請求項１１に記載のアンテナ。
【請求項１４】
　前記禁制光帯域アレイが誘電体プレートの周期的配列を有し、それらのうちの１枚の厚さが他に対して変更され、周期性のこの中断が第１のものとは別の第２の動作帯域を作り出す請求項２に記載のアンテナ。
【請求項１５】
　少なくとも１つのソースが受信周波数帯域で動作し、別のソースが送信周波数帯域で動作する請求項１に記載のアンテナ。
【請求項１６】
　反射器を備えたシステム内で動作するように構成された請求項１に記載のアンテナ。
【発明の詳細な説明】
【技術分野】
【０００１】
　本出願は２００２年７月３１日に提出した仏国特許出願第０２０９７４０号に基づくものであり、その開示はここにその全文を参考資料として取り入れており、その優先権はここで米国特許法（３５ＵＳＣ）の１１９章の下に主張される。
【０００２】
　本発明は通信に関する。より詳細には、本発明はマルチソース型通信アンテナに関する。マルチソースアンテナは反射器を備えたシステムで使用できる。
【背景技術】
【０００３】
　フォーカシングシステムは、それらの性能が複数の地上領域をカバーすることを可能にするので、日常的に宇宙で使用される。しかしながら、スポットとしても知られる隣接したカバレージの規則的格子を発生し、マルチ受動的ソースに関連した反射アンテナで各々が１つのスポットアクセスを規定することは不可能である。受動的焦点アレイのこの種のソースは２つの相反する制約条件を満たさなければならない。すなわち、
　−ソースの最大サイズは焦点アレイのメッシュによって制限され、かつ直接的にスポット間の間隔によって決まり、かつ、
　−その最大サイズは不充分であって、反射器が具合良く照射を受けず、照射収率は極めて高い漏出損失によって影響を受け、必要なアンテナ利得の点で必要な仕様を満たすことはない。
【０００４】
　当然のことながら、スポットの規則的カバレージはそれでも重大であって、多数の受動的ソースに結合された４反射器アンテナのシステム（これはＫａ帯域のカバレージに適した標準的な解決策である）、あるいはそのビームフォーミングネットワーク（ＢＦＮ）が複雑である単一の焦点アレイ給電反射器（ＦＡＦＲ）型のアクティブアンテナで達成される。
【０００５】
　反射器２とマルチソースアレイ３でシステム１を正しく照射するためには、図１に示したように、プライマリソース群を交互配置する必要がある。プライマリソースは複数のさらに小型のソース群（ＦＡＦＲおよび付随するＢＦＮ）を組み合わせることによって作り出される。ソース群とＢＦＮの間には増幅器が配置されなければならない。この解決策は明らかに複雑でコスト高となる。
【０００６】
【特許文献１】米国特許第６，５４９，１７２号明細書
【特許文献２】米国特許第６，０６１，０２７号明細書
【発明の開示】
【発明が解決しようとする課題】
【０００７】
　多数スポットのカバレージのためにマルチソースアンテナを供給する目的に加えて、本発明は２帯域のソースを備えた反射器アンテナと２つの平面アンテナを備えたシステムで代表される従来技術の全体的サイズの問題を克服する小型の多帯域指向性アンテナを提案することを目的とする。
【０００８】
　したがって、本発明の目的は上述した問題を解決することである。
【課題を解決するための手段】
【０００９】
　したがって本発明は、少なくとも２つの励起ソースと、励起ソースによって取得／放射されるエネルギーを空間的に導き、かつソースによって受信／送信される波にそれぞれ対応する帯域の間の周波数減結合を供給する空間および周波数の選択手段とを含み、励起ソースが空間および周波数の選択手段の高さのところに放射用開口を交互配置するように接地板上に配置されるマルチソースアンテナにある。
【００１０】
　したがって、本発明により、励起ソースの各々から放射されるエネルギーは、ソース間の結合を回避しながらも、さらに大きい明らかな表面積にわたって導かれる。さらに、交互配置が２つのスポットの交差に起因する損失を低下させるので、上記の選択手段の高さでの等価なソースは漏出損失を生じさせないように充分に指向性を有する。
【００１１】
　一実施形態では、空間および周波数の選択手段は禁制光帯域アレイである。
【００１２】
　一実施形態では、禁制光帯域アレイは一次元周期の誘電性プレート配列（１Ｄ配列）を含む。
【００１３】
　一実施形態では、禁制光帯域アレイは二次元周期の誘電性ロッド配列（２Ｄ配列）を含む。
【００１４】
　一実施形態では、禁制光帯域アレイは三次元周期の誘電性ロッド配列（３Ｄ配列、木ぐいタイプ）を含む。
【００１５】
　一実施形態では、禁制光帯域アレイは金属のパターンの周期的配列を含む。
【００１６】
　一実施形態では、禁制光帯域アレイは前記接地板内にスロットの周期的配列を含む。
【００１７】
　一実施形態では、禁制光帯域アレイは金属のワイヤの配列を含む。
【００１８】
　一実施形態では、複数の励起ソース（励起ソース群）は受動的焦点アレイを形成し、受動的焦点アレイの各ソースに関連する放射用開口の交互配置は禁制光帯域アレイの高さに拡張された明らかな表面積にわたって放射されるエネルギーのチャネルを生じる。
【００１９】
　一実施形態では、励起ソース群は異なる周波数帯域で動作し、同じ放射用開口を備える。
【００２０】
　一実施形態では、励起ソース群は異なる周波数帯域で動作し、同じ放射用開口を備え、かつ前記禁制光帯域アレイは少なくとも２つの金属プレートを有し、それらがそれらの固有周波数で共振してその他の共振周波数を透過する共振パターンを具備する。
【００２１】
　一実施形態では、禁制光帯域アレイは金属ワイヤの周期的配列を有し、第１の動作帯域とは別の第２の動作帯域を形成するためにそれらのワイヤのいくつかが局所的および周期的に除去される。
【００２２】
　一実施形態では、１枚の金属プレートが最も高い動作周波数の反射表面を形成し、かつ最も低い動作周波数で透過性であり、接地板からλｆｈ／２離れた位置にあり、第２の金属プレートが最も低い周波数の反射表面を形成し、かつ最も高い周波数で透過性であり、接地板からλｆｈ／２離れた位置にある。
【００２３】
　一実施形態では、禁制光帯域アレイは誘電体プレートの周期的配列を有し、それらのうちの１枚の厚さが他に関して変更され、周期性のこの中断が第１の動作帯域とは別の第２の動作帯域を生じさせる。
【００２４】
　一実施形態では、少なくとも１つのソースは受信周波数帯域で動作し、かつ他のソースは送信周波数帯域で動作する。
【００２５】
　一実施形態では、ソースは反射器を備えたシステム内で動作する。
【発明を実施するための最良の形態】
【００２６】
　本発明を更に説明するために、添付の図面を参照しながら、本発明の範囲を限定しない例により、以下に本発明の実施形態を述べる。
【００２７】
　本特許の応用では、類似した機能を備えた品目は同じ参照番号で識別される。
【００２８】
　フォトニック結晶の特性を使用する禁制光帯域（ＦＰＢ）アンテナは近年、科学界にとって大きな関心事となった。
【００２９】
　本発明の目的は、衛星通信システムのための画期的なアンテナ（アンテナ搭載衛星タイプの宇宙船または地面にある地上アンテナ）の構想にこれらのアンテナの潜在能力を応用することである。
【００３０】
　ＦＰＢアレイの基礎的特性はその空間および周波数の選択性である。その結果、ＦＰＢアレイアンテナについて様々な用途を考えることが可能であり、
　−第１の用途は、放射表面を拡張しながら、単一の励起部材（例えばパッチ）から放射されるエネルギーを前もって選択した方向に導くためにＦＰＢアレイの収容能力を利用するものであり、これは励起部材よりもはるかに指向性の高いアンテナを作り出す。
【００３１】
　−第２の用途は、表面波の抑制、アレイローブの減衰、放射素子間の向上した減結合などを備えた空間および周波数フィルタの作製である。
【００３２】
　ＦＰＢアレイは金属もしくは誘電体のパターンの周期的な配列によって作製されることが可能である。もちろん、ＦＰＢアレイを作製するためには無数の方法がある。簡潔に述べるため、本出願は誘電体もしくは金属のパターンを備えたアレイについてのみ詳細に説明する。
【００３３】
　こうして、ＦＰＢアレイは誘電率εｒ１と厚さλ／４ｓｑｒｔ（εｒ１）を有する誘電体プレートの規則的配列で構成されることが可能であり、それらはさらに低い誘電率εｒ２と厚さλ／４ｓｑｒｔ（εｒ２）を有する媒体によって間隔を置かれる。それはλ／４の間隔を置かれた極めて高い誘電率の誘電体ロッドの配列で作製されることもやはり可能である。誘電体プレートのこの種のアレイは、例えば、米国特許第６，５４９，１７２号明細書に開示されている。
【００３４】
　もしもＦＰＢアレイがソースの指向性を向上させるために、特に複数のソースの放射用開口を交互配置するために使用される場合、以下の追加的条件を適用する必要がある。すなわち、
　−上述したように、第１の誘電体層（または下記に説明する金属パターンを備えた実施形態では金属層）は接地板から電気的波長の半分の距離離れており、かつ、
　−その構造はプローブ、接地板近くのパッチ、または接地板内の放射用開口によって励起される。
【００３５】
　以下の説明では、ＦＰＢアレイの最初の例は誘電体層を備えたアレイである。
【００３６】
　図２はマルチソースアンテナ４を示す。このアンテナは、焦点アレイ５と、アレイ５を形成するエッチングされた励起プローブ５１、５２、．．．、５ｎが上部にある接地板７０の上に配置された誘電体プレート６１、６２の配列から構成されるＦＰＢアレイとを含む。
【００３７】
　誘電体プレートのこの周期的配列は共振キャビティを規定する。励起プローブによって発射された波はその後、広い放射用表面積にわたって配分される。この表面積の大きさは誘電体層（または金属グリッドの場合には金属層）の反射率によって決まる。
【００３８】
　図２ａのＦＰＢネットワークが誘電体プレートの一次元アレイの具体的描写であることに気付くであろう。
【００３９】
　図２ｂ、２ｃおよび２ｄはそれぞれ、一次元、二次元および三次元の周期を備えた誘電体電磁結晶を示す。
【００４０】
　部分的反射材料のいくつかの種類は本出願に記述されており、
　−誘電性多層材料（その配列のいくつかのタイプは図２ａから２ｄに示される）、
　−図７ａと７ｂに示される金属ワイヤ材料、
　−共振金属パターンのアレイで構成される材料である。
【００４１】
　それらが完全に周期的であるとき、これらの材料は電磁結晶（ｅｌｅｃｔｒｏｍａｇｎｅｔｉｃ　ｃｒｙｓｔａｌ）として知られている。入射電磁波に対するそれらの応答は伝導帯での全透過から禁制帯での全反射まで変化する。
【００４２】
　図２ａでは、アレイ６は受動的焦点アレイの各ソースに関連する放射用開口の交互配置を可能にする。励起ソースよりも大きい明らかな表面積にわたって放射されるエネルギーを導きながらも、それらの間の過度に高い結合を阻止することが論点である。その結果、受動的焦点アレイのソースはそれらが下側のアレイ５で占める表面よりもさらに指向性を有し、漏出損失は低減される。
【００４３】
　結合は周波数選択性ソースの使用によって最小化され、それが周波数選択性フィルタに連結されたマイクロストリップパッチ、誘電体共振器、または非共振性のスロットであることは可能である。
【００４４】
　図３は本発明によるマルチソースアンテナ７の第２の実施形態を示す。この実施形態では、２つのパッチ８１、８２が２つのモードで２つの励起プローブ９１、９２によって励起される。２つのモードは、例えば、基本モードと調波であってもよい。
【００４５】
　したがってアンテナ７は、複数の指向性ソースを作り出すことが可能であり、同じ放射用開口で複数の周波数帯域で動作する。これは、宇宙空間においてとても大きな節減を実現する。
【００４６】
　誘電体層６１、６２（または金属パターンの場合には金属層）の配列は、ＦＰＢ材料内で複数の別個の共振を発生するように決定されることができる。誘電体層６１、６２（または金属パターンの場合には金属層）の特定の配列は用途に特異的な比率に適合したＦＰＢ材料の動作帯域を生じ、もはや規則的に間隔を置かれないこともあり得る。
【００４７】
　多帯域ＦＰＢアレイは共振パターンを備えた金属のＦＰＢアレイを使用して作製されることができる。そのとき、２つのＦＰＢアレイを各々の動作周波数で最適化することが論点である。これらの層はその固有周波数で共振し、その他の共振周波数では透過性である。この原理は周波数選択性の表面のそれと同様である。そのとき、反射層は同じ周波数で動作する層間の距離（λ／４）、および接地板と各々の動作周波数に関連する下側金属層の間の距離（λ／２）についての規則に準拠するように交互配置されることが可能である。
【００４８】
　図４は金属パターンの形式をとるこの種のＦＰＢアレイを示す。例えば、それはλ／４の空間的に同じ方向に走る金属ワイヤ、あるいは金属ワイヤの直交アレイから成るグリッドで構成されることが可能である。このタイプのＦＰＢアレイは米国特許第６，０６１，０２７号明細書に述べられており、例えばその図１は反射表面が金属パターンから作り上げられるＦＰＢアレイの実施形態を示す。この特定の例では、これらは円形のパッチまたは環である。十字型、三極などもやはり考えることができる。
【００４９】
　この後者の実施形態では、反射構造は界面だけから構成される。それでもやはり、図４にあるようにいくつかの界面４０が存在することも可能である。この場合には金属の界面はλ／４の間隔を置かねばならない。本質的なことは、接地板からλ／２の距離に反射構造を有することである。
【００５０】
　ここではパッチ４１によって表わされる励起がまた、接地板内のスロット、誘電体共振器などによって達成可能であることにも気付くであろう。
【００５１】
　図５はスロット４２による励起を示す。この種のスロットを設けることの利点は、ガイド４３を介した励起を可能にすること、およびガイド技術フィルタを使用してアンテナの正しい動作のために必要なフィルタ処理を可能にすることである。絞り４４がガイド内に設置されてその適合化を可能にする。そのような絞りは、例えばすでに参照した特許に述べられている。
【００５２】
　図６はスロット４２’を介して励起される誘電体層のアレイ６を備えたアンテナ７を示す。このスロットで本質的なことは、隣接するスロット間の結合を制限するために、それが共振的でないことである。
【００５３】
　図７は本発明によるアンテナの一実施形態を示す。使用されるＦＰＢアレイ６は金属タイプであり、その層６１、６２は共振的ではない。それらは金属のワイヤもしくはトラックで構成される。アレイを励起するための手段は図示されていない。
【００５４】
　２つの偏波、または円偏波で動作するためには、構造６０は９０°回転して不変であることが必要である。これが図に示したグリッド構造を作り出す。
【００５５】
　ここで多帯域構造について考える。図８は本発明によるマルチソースアンテナの一実施形態を示す。簡単のため、アレイ６は各周波数で単一の共振界面の形をとる。アンテナ７はそれぞれの固有周波数で動作する２つの励起器８１、８２を有する。図中では、励起器は隣り合わせに配置された別々のパッチであるが、それらはスロットであってもよい。励起器は１つまたは２つのポートを備えた２帯域励起器、例えば一実施形態を部分的に表わす図９に示したような中央にスロットを備えたパッチであることも同様に可能である。
【００５６】
　最も高い動作周波数ｆｈで反射し、かつ最も低い動作周波数ｆｂで透過性の表面は接地板からλｆｈ／２の距離に配置される。周波数ｆｂで反射し、かつ周波数ｆｈで透過性の第２の表面は接地板からλｆｂ／２の距離に配置される。図９では、最も高い周波数を反射する界面はさらに小さい金属パターン４５で作製される。
【００５７】
　その他の動作帯域で全透過性ではない界面によって生じる干渉が起こる可能性があることは重視されるべきである。この場合には、米国特許第６，０６１，０２７号で提案された解決策、すなわち、
　−パターンを、その側方位置の関数としてわずかに変更すること、
　−米国特許第６，０６１，０２７号明細書の図６に示されたように、円偏波の動作の場合に波を再度偏波する目的でパターンの切り取りをすること、
を都合良く使用することが可能である。
【００５８】
　パターン間の距離を使用して界面の反射率を調節することが可能である。さらに低い反射率、およびこれがさらに多数の界面によって補償されることが必要となる。このケースでは、図１０に示したように、各周波数で動作する様々な構造を交互配置することによって多帯域放射素子が作り出される。
【００５９】
　ここで、第１のものとは別の第２の通過帯域を得る方法を考える。もしも結晶の周期性が阻害されるならば、禁制帯内に選択的通過帯域を作り出すことが可能である。この原理は半導体のそれと同様である。
【００６０】
　グリッドの金属の一部を規則的に除去することによって、金属ワイヤ構造の中で干渉または欠陥を生じさせることが可能である。
【００６１】
　多層構造については、誘電体層（または２Ｄもしくは３Ｄ構造のケースではロッド）の厚さを局所的に変更することによってそれが達成されることが可能である。
【００６２】
　ここで共振パターンを備えた材料について考える。
【００６３】
　パターンは周波数で大幅に変化する特性をもやはり有するので、これらの材料は特別な場合を代表する。こうして、これらの材料の周波数応答を決定づけるのは周期的アレイ内のそれらの配置だけではない。
【００６４】
　ここまで、どのようにして第２の通過帯域を追加するかを説明するために、金属の共振器を備えた構造が述べられてきた。
【００６５】
　これ以降は、これらの構造の負の側面がどのようにして同じ機能について同等に有効になるかを説明する。それらは、図１３に示したように、接地板内の規則的な貫通孔から構成される。
【００６６】
　図１４に示したような、金属の共振器４７とスロット４６を備えた多重共振器構造を含む２つの別々の帯域で動作する放射素子といった、貫通孔パターンで構成され、ある周波数で反射性を有する表面と、金属パターンで構成される反射表面との混合配列の可能性にもやはり留意すべきである。
【００６７】
　したがって、説明したような本発明により、同時に複数のアンテナを必要としない小型のマルチソースアンテナが得られる。この小型化は平面アンテナの固有の技術を使用する結果である。
【００６８】
　もちろん、本発明は本出願に記述した実施形態に限定されることはない。
【００６９】
　ソース群のうちの１つが受信周波数帯域Ｒｘで動作し、別のソースが送信周波数帯域Ｔｘで動作することがあり得ることに気付かれるであろう。
【図面の簡単な説明】
【００７０】
【図１】従来技術のマルチソースアレイによって照射される反射器を示す図である。
【図２ａ】一次元の周期で誘電体プレートの配列を備えたＦＰＢアレイを含む、本発明によるマルチソースアンテナの第１の実施形態を示す図である。
【図２ｂ】一次元の周期の誘電体電磁結晶を示す図である。
【図２ｃ】二次元の周期の誘電体電磁結晶を示す図である。
【図２ｄ】三次元の周期の誘電体電磁結晶を示す図である。
【図３】本発明によるマルチソースアンテナの第２の実施形態を示す図である。
【図４】本発明によるマルチソースアンテナの別の実施形態を示す図である。
【図５】本発明による励起ソースの一実施形態を示す図である。
【図６】本発明によるマルチソースアンテナの更なる実施形態を示す図である。
【図７ａ】本発明によるアンテナの別の実施形態を示す図である。
【図７ｂ】図７ａのアンテナに使用される金属ワイヤの配列を更に詳細に示す図である。
【図８】本発明によるマルチソースアンテナの別の実施形態を示す図である。
【図９】図８の変形例の一部分を示す図である。
【図１０】本発明によるマルチソースアンテナの別の実施形態を示す図である。
【図１１】禁制帯に選択的通過帯域を挿入して得られるスペクトルを示す図である。
【図１２】金属結晶内への欠陥の挿入を示す図である。
【図１３】金属の共振器とスロットを備えた多重共振器構造を示す図である。
【図１４】金属の共振器とスロットを備えた別の多重共振器構造を示す図である。
【符号の説明】
【００７１】
　１　システム
　２　反射器
　３　マルチソースアレイ
　４、７　マルチソースアンテナ
　５、６　アレイ
　４０　界面
　４１、８１、８２　パッチ（励起器）
　４２、４２’、４６　スロット
　４３　ガイド
　４４　絞り
　４５　金属のパターン
　４７　共振器
　５１、５２、５ｎ、９１、９２　励起プローブ
　６１、６２　誘電体プレート
　７０　接地板
【図１】
2004135284.tif 000003
【図２ａ】
2004135284.tif 000004
【図２ｂ】
2004135284.tif 000005
【図２ｃ】
2004135284.tif 000006
【図２ｄ】
2004135284.tif 000007
【図３】
2004135284.tif 000008
【図４】
2004135284.tif 000009
【図５】
2004135284.tif 000010
【図６】
2004135284.tif 000011
【図７ａ】
2004135284.tif 000012
【図７ｂ】
2004135284.tif 000013
【図８】
2004135284.tif 000014
【図９】
2004135284.tif 000015
【図１０】
2004135284.tif 000016
【図１１】
2004135284.tif 000017
【図１２】
2004135284.tif 000018
【図１３】
2004135284.tif 000019
【図１４】
2004135284.tif 000020
【外国語明細書】
2004135284.tif 000021
2004135284.tif 000022
2004135284.tif 000023
2004135284.tif 000024
2004135284.tif 000025
2004135284.tif 000026
2004135284.tif 000027
2004135284.tif 000028
2004135284.tif 000029
2004135284.tif 000030
2004135284.tif 000031
2004135284.tif 000032
2004135284.tif 000033
2004135284.tif 000034
2004135284.tif 000035
2004135284.tif 000036
2004135284.tif 000037
2004135284.tif 000038
2004135284.tif 000039
2004135284.tif 000040
2004135284.tif 000041
2004135284.tif 000042
2004135284.tif 000043
2004135284.tif 000044
2004135284.tif 000045
2004135284.tif 000046
2004135284.tif 000047
2004135284.tif 000048
2004135284.tif 000049
2004135284.tif 000050
2004135284.tif 000051